(57)【特許請求の範囲】
【請求項１】
左右方向に往復移動する操作部材と、
ワークを下方から支持し、前記操作部材の左右方向の往復移動に伴って上下方向に往復移動する支持部材と、
前記支持部材の移動を上下方向に案内する案内部材と、
を備え、
前記操作部材及び前記支持部材は、
いずれか一方に設けられ、傾斜方向に伸びる第１被挿入部を具備した被挿入部と、
他方に設けられ、前記被挿入部に挿入されて移動する挿入部と、
を有し、
前記被挿入部は、
互いに平行で上下方向の位置が異なり水平方向に伸びる複数の第２被挿入部を具備し、隣り合う前記第２被挿入部の端部が前記第１被挿入部を介して連結することを特徴とする芯出し装置。
【請求項２】
前記案内部材及び前記支持部材、前記操作部材及び前記支持部材、又は前記案内部材及び前記操作部材は、
いずれか一方に設けられた凸部と、
他方に設けられ、前記挿入部が前記第２被挿入部に挿入された際に前記凸部に嵌合する凹部と、
を有していることを特徴とする請求項１記載の芯出し装置。
【請求項３】
前記支持部材は、
前記ワークの下半部の左右両側に当接し、前記支持部材の上下方向の往復移動に伴って左右方向に移動する一対の第１支持部を有していることを特徴とする請求項１又は２に記載の芯出し装置。
【発明の詳細な説明】
【技術分野】
【０００１】
本発明は芯出し装置に関するものである。
【背景技術】
【０００２】
特許文献１は従来の芯出し装置を開示している。この芯出し装置は、一対の支持体、架台、及び移動手段を備えている。この一対の支持体は対向した端面の上部がＶ字状をなしており、それぞれが架台上に配置され、一方が架台に固定され、他方が移動自在に連結されている。架台は平板状をなして水平方向に広がっている。移動手段は、柱部材、及びハンドルを有している。ハンドルは柱部材を介して、他方の支持体に接続されている。この芯出し装置はハンドルを回すことによって、他方の支持体が一方の支持体に対して、接近離間方向に移動する。これにより、ワークの上下方向の位置を変更することができる。このため、この芯出し装置は異なった外径のワークであってもワークの芯出しをすることができる。
【先行技術文献】
【特許文献】
【０００３】
【特許文献１】特開２００５−３１３２４８号公報
【発明の概要】
【発明が解決しようとする課題】
【０００４】
しかし、特許文献１の芯出し装置は、移動手段のハンドルを回転させることによって、一対の支持体の間の隙間を変更するため、ワークの中心が支持体の移動する方向に移動すると共に上下方向に移動する。つまり、この芯出し装置はワークの中心が支持体の移動する方向、及び上下方向の２つの方向に移動するため、仮に外径の異なるワークのそれぞれの外径に合わせて芯出しする場合、調節が難しい。
【０００５】
本発明は、上記従来の実情に鑑みてなされたものであって、外径の異なる複数種類のワークそれぞれの外径に合わせてワークの芯出しを容易にすることができる芯出し装置を提供することを解決すべき課題としている。
【課題を解決するための手段】
【０００６】
本発明の芯出し装置は、操作部材、支持部材、及び案内部材を備えている。操作部材は左右方向に往復移動する。支持部材はワークを下方から支持し、操作部材の左右方向の往復移動に伴って上下方向に往復移動する。案内部材は支持部材の移動を上下方向に案内する。操作部材及び支持部材は、いずれか一方に設けられ、傾斜方向に伸びる第１被挿入部を具備した被挿入部と、他方に設けられ、被挿入部に挿入されて移動する挿入部と、を有する。被挿入部は、互いに平行で上下方向の位置が異なり水平方向に伸びる複数の第２被挿入部を具備し、隣り合う第２被挿入部の端部が第１被挿入部を介して連結する。
【０００７】
この芯出し装置は操作部材を左右方向に移動させることによって支持部材の上下方向の位置を変更することができる。このため、この芯出し装置は外径の異なる複数種類のワークそれぞれの外径に合わせて支持部材を上下方向に移動させることによって、ワークの芯出しをすることができる。この芯出し装置は被挿入部の外形を変更することによって、芯出しするワークの外径が変更されても容易に対応することができる。また、この芯出し装置は操作部材を左右方向に移動させることによって支持部材の上下方向の位置を変更することができる。つまり、この芯出し装置は外径の異なる複数種類のワークそれぞれの外径に合わせて芯出しを容易にすることができる。この芯出し装置は挿入部が第２被挿入部に位置する場合、支持部材がワークの重さ等によって不用意に下方向に移動することを抑えることができる。
【０００８】
したがって、本発明の芯出し装置はワークの芯出しを容易にすることができる。
【００１１】
本発明の案内部材及び支持部材、操作部材及び支持部材、又は案内部材及び操作部材は、いずれか一方に凸部が設けられ、他方に凹部が設けられ得る。凹部は挿入部が第２被挿入部に挿入された際に凸部に嵌合する。この場合、この芯出し装置は、凸部及び凹部が互いに嵌合するため、挿入部が第２被挿入部から不用意にずれることを抑えることができる。
【００１２】
本発明の支持部材は、ワークの下半部の左右両側に当接し、支持部材の上下方向の往復移動に伴って左右方向に移動する一対の第１支持部を有し得る。この場合、この芯出し装置は、ワークの外周面を一対の第１支持部で支持することによって支持部材に掛かるワークの重量を分散させることができる。また、この芯出し装置は、支持部材に第１支持部を設けているため、ワークの材質に合わせて第１支持部の材質を変更することができる。
【図面の簡単な説明】
【００１３】
【図１】実施形態１の芯出し装置であって、（Ａ）は正面図を示し、（Ｂ）は側面図を示す。
【図２】実施形態１の芯出し装置を示す模式図であって、（Ａ）は操作部材が左側に位置し、支持部材が下側に位置した状態を示し、（Ｂ）は操作部材が右側に位置し、支持部材が上側に位置した状態を示す。
【図３】実施形態２の芯出し装置であって、（Ａ）は正面図を示し、（Ｂ）は側面図を示す。
【図４】実施形態２の芯出し装置を示す模式図であって、（Ａ）は操作部材が左側に位置し、支持部材が下側に位置し、第１カムピンが下側に位置し、一対の第２カムピンが左右外側に位置した状態を示し、（Ｂ）は操作部材が右側に位置し、支持部材が上側に位置し、第１カムピンが上側に位置し、一対の第２カムピンが左右内側に位置した状態を示す。
【図５】実施形態２の芯出し装置の支持部材の第１長孔及び第２案内部材の第３長孔が重なった状態を示す要部拡大図であって、（Ａ）は支持部材が下側に位置し、一対の第２カムピンが第２長孔の左右外側に位置した状態を示し、（Ｂ）は支持部材が上側に位置し、一対の第２カムピンが第２長孔の左右内側に位置した状態を示す。
【発明を実施するための形態】
【００１４】
本発明の芯出し装置を具体化した実施形態１及び２について、図面を参照しつつ説明する。
【００１５】
＜実施形態１＞
実施形態１の芯出し装置は、図１（Ａ）、（Ｂ）、及び図２（Ａ）、（Ｂ）に示すように、支持部材１０、操作部材１１、及び案内部材１２を備えている。支持部材１０は平板状であり左右方向（左右は図１（Ａ）における左側右側である。以下同じ）に幅を有し上下方向（上下は図１（Ａ）における上側下側である。以下同じ）に伸びている。支持部材１０は上端面の左右中央部に上方向に広いＶ字状に切り欠かれた切欠き部１０Ａが設けられている。支持部材１０は中心軸を水平方向に配置した円筒状又は円柱状のワークＷ１，Ｗ２の外周面に切欠き部１０Ａを下方から当接してワークＷ１，Ｗ２を支持することができる。また、支持部材１０は左右方向の寸法が上側より下側が小さい。また、支持部材１０は左右中央で切欠き部１０Ａの直下に平板状の厚さ方向に貫通した取付け孔１０Ｃが設けられている。支持部材１０は取付け孔１０Ｃに挿入部であるカムピン１０Ｂが挿通されて固定されている。詳しくは、カムピン１０Ｂは円柱状をなしており、円柱状の後端部が取付け孔１０Ｃに挿通され、円柱状の前端部が支持部材１０の前側（前後は図１（Ａ）における手前側奥側である。以下同じ）に突出している。また、カムピン１０Ｂは円柱状の後端部が支持部材１０の後端面より後方に突出しない。
【００１６】
操作部材１１は、被挿入部１１Ａ、及び凹部である受け孔１１Ｂ，１１Ｆを有している。操作部材１１は平板状であり上下方向に幅を有し左右方向に伸びている。操作部材１１は上下方向の寸法が左右両端部に比べて左右中間部が大きく、左右中間部が下方向に突出している。被挿入部１１Ａは第１被挿入部１１Ｅ、及び第２被挿入部１１Ｃ，１１Ｄを具備している。被挿入部１１Ａは操作部材１１の左右中間部に形成されている。
【００１７】
第１被挿入部１１Ｅは対向する２辺が平行である。第１被挿入部１１Ｅは左側が右側より上に位置している。つまり、操作部材１１は傾斜して伸びる第１被挿入部１１Ｅを具備した被挿入部１１Ａが設けられている。
【００１８】
第２被挿入部１１Ｃ，１１Ｄはそれぞれの対向する２辺が平行である。第２被挿入部１１Ｃ，１１Ｄはそれぞれの対向する２辺の間の寸法が互いに同じである。第２被挿入部１１Ｃ，１１Ｄはそれぞれの対向する２辺の間の寸法が第１被挿入部１１Ｅの対向する２辺の間の寸法と同じである。第２被挿入部１１Ｃ，１１Ｄは上下方向の位置が第２被挿入部１１Ｃより第２被挿入部１１Ｄが低い。第２被挿入部１１Ｃは第１被挿入部１１Ｅの左端部に連続して連結し、第２被挿入部１１Ｄは第１被挿入部１１Ｅの右端部に連続して連結している。つまり、被挿入部１１Ａは互いに平行で上下方向の位置が異なり水平方向に伸びる２つの第２被挿入部１１Ｃ，１１Ｄを具備し、隣り合う第２被挿入部１１Ｃ，１１Ｄの端部が第１被挿入部１１Ｅを介して連結する。
【００１９】
受け孔１１Ｂ，１１Ｆは平板状の厚さ方向に被挿入部１１Ａの左側に貫通して設けられている。受け孔１１Ｂ，１１Ｆは内周面の前端縁に面取り加工が施されている。受け孔１１Ｂ，１１Ｆは互いに上下方向の位置が同じで左右方向に隣り合い設けられている。受け孔１１Ｂ，１１Ｆの中心軸間の寸法は第２被挿入部１１Ｃ，１１Ｄそれぞれの左右中央の間の左右方向の寸法と同じである。操作部材１１は、被挿入部１１Ａを支持部材１０のカムピン１０Ｂに挿通し、後端面を支持部材１０の前端面に当接して配置されている。このとき、カムピン１０Ｂは前端部が支持部材１０の前端面より前方に突出しない（図示せず。）。第１被挿入部１１Ｅの対向する２辺の間の寸法、及び第２被挿入部１１Ｃ，１１Ｄそれぞれの対向する２辺の間の寸法はカムピン１０Ｂの外径より僅かに大きい。このため、カムピン１０Ｂは被挿入部１１Ａの左右方向に往復移動することができる。つまり、支持部材１０は被挿入部１１Ａに挿入されて移動するカムピン１０Ｂが設けられている。
【００２０】
案内部材１２は、一対の第１案内部材１２Ａ、第２案内部材１２Ｂ、及び第３案内部材１２Ｃを有している。第１案内部材１２Ａは上下方向に長い直方体である。第１案内部材１２Ａは前後方向の寸法が、支持部材１０及び操作部材１１の平板状の厚さ寸法の合計より僅かに大きい。第１案内部材１２Ａは前端面の上下中央部の下側に左端面から右端面にかけて左右方向に切り欠かれた切欠き溝部１２Ｄが設けられている。この切欠き溝部１２Ｄは上下方向の寸法が操作部材１１の左右両端部の上下方向の寸法より僅かに大きい。また、この切欠き溝部１２Ｄは前後方向の寸法が操作部材１１の平板状の厚さ寸法より僅かに大きい。第１案内部材１２Ａは上端部及び下端部それぞれに前後方向に貫通したボルト挿通孔１２Ｅが設けられている。一対の第１案内部材１２Ａは、支持部材１０の上側の左右両端面を左右方向から挟み、それぞれが支持部材１０の上側の左右両端面との間に僅かに隙間を空けて配置されている。このとき、これら第１案内部材１２Ａは互いの上下方向の位置が同じである。また、これら第１案内部材１２Ａは、それぞれの切欠き溝部１２Ｄが前側に配置されており、それぞれの切欠き溝部１２Ｄに操作部材１１の左右両端部それぞれが嵌め込まれている。
【００２１】
第２案内部材１２Ｂは平板状をなして上下方向に幅を有し左右方向に伸びている。第２案内部材１２Ｂは上下方向の寸法が第１案内部材１２Ａの上下方向の寸法とほぼ同じである。第２案内部材１２Ｂは上端面の左右中間部が上方向に広い台形形状に切り欠かれている。第２案内部材１２Ｂは左右両端部それぞれの上端部及び下端部に平板状の厚さ方向に貫通したボルト挿通孔１２Ｆが設けられている。第２案内部材１２Ｂは、上端部及び下端部に設けられたボルト挿通孔１２Ｆの中心軸間の上下方向の寸法が、第１案内部材１２Ａの上端部及び下端部に設けられたボルト挿通孔１２Ｅの中心軸間の上下方向の寸法と同じである。第２案内部材１２Ｂは左端部の上下中央部の下側に内周面に雌ねじが形成されたねじ孔１２Ｇが設けられている。このねじ孔１２Ｇは後述する凸部であるボールプランジャ１２Ｈを取り付ける際に用いる。第２案内部材１２Ｂは後端面を第１案内部材１２Ａの前端面に当接して配置されている。また、第２案内部材１２Ｂは左右両端部それぞれの上端部及び下端部に設けられたボルト挿通孔１２Ｆの中心軸が、支持部材１０の上側の左右両端面それぞれに配置された一対の第１案内部材１２Ａに設けられたボルト挿通孔１２Ｅの中心軸に一致している。また、操作部材１１は左右両端部が前後方向から第１案内部材１２Ａ及び第２案内部材１２Ｂで挟まれている。また、操作部材１１は左右中間部の上下方向の寸法が第１案内部材１２Ａの切欠き溝部１２Ｄの上下方向の寸法より大きい。このため、操作部材１１は案内部材１２から脱落しない。
【００２２】
第３案内部材１２Ｃは平板状をなして上下方向に幅を有し左右方向に伸びている。第３案内部材１２Ｃは上下方向の寸法が第１案内部材１２Ａの上下方向の寸法とほぼ同じである。第３案内部材１２Ｃは上端面の左右中間部が上方向に広い台形形状に切り欠かれている。第３案内部材１２Ｃは、左右両端部それぞれの上端部及び下端部に内周面に雌ねじが形成され平板状の厚さ方向に貫通したねじ孔１２Ｊが設けられている。第３案内部材１２Ｃは前端面を第１案内部材１２Ａの後端面に当接して配置されている。このとき、第３案内部材１２Ｃは、左右両端部それぞれの上端部及び下端部に設けられたねじ孔１２Ｊの中心軸が、第２案内部材１２Ｂの左右両端部それぞれの上端部及び下端部に設けられたボルト挿通孔１２Ｆの中心軸に一致している。また、第３案内部材１２Ｃは、左右両端部それぞれの上端部及び下端部に設けられたねじ孔１２Ｊの中心軸が、支持部材１０の上側の左右両端面それぞれに配置された一対の第１案内部材１２Ａに設けられたボルト挿通孔１２Ｅの中心軸に一致している。
【００２３】
案内部材１２は第１案内部材１２Ａ、第２案内部材１２Ｂ、及び第１案内部材１２Ａが４つのボルト１２Ｋで互いに連結されている。詳しくは、案内部材１２は前側から第２案内部材１２Ｂの左右両端部それぞれの上端部及び下端部に設けられたボルト挿通孔１２Ｆそれぞれにボルト１２Ｋが挿通されている。さらに、これらボルト１２Ｋは支持部材１０の上側の左右両端面に配置された一対の第１案内部材１２Ａに設けられたボルト挿通孔１２Ｅも挿通し、第３案内部材１２Ｃの左右両端部それぞれの上端部及び下端部に設けられたねじ孔１２Ｊにねじ込まれている。
【００２４】
案内部材１２は第２案内部材１２Ｂに設けられたねじ孔１２Ｇに凸部であるボールプランジャ１２Ｈがねじ込まれて取り付けられている。詳しくは、ボールプランジャ１２Ｈは円筒状をなし前後方向に伸びており、外周面に雄ねじが形成されている。ボールプランジャ１２Ｈは円筒状の内側にボール部を具備している。このボール部は円筒状の後端から後方向に後端部が突出し、後方向にバネ力が付与されている（図示せず。）。
【００２５】
ボールプランジャ１２Ｈはボール部の後端部が操作部材１１に設けられた受け孔１１Ｂ，１１Ｆのいずれかに嵌合する。詳しくは、操作部材１１に設けられた被挿入部１１Ａに挿入された支持部材１０のカムピン１０Ｂが第２被挿入部１１Ｃの左右中央に位置した際、ボールプランジャ１２Ｈはボール部の後端部が受け孔１１Ｂに嵌合する。また、操作部材１１に設けられた被挿入部１１Ａに挿入された支持部材１０のカムピン１０Ｂが第２被挿入部１１Ｄ左右中央に位置した際、ボールプランジャ１２Ｈはボール部の後端部が受け孔１１Ｆに嵌合する。こうして、操作部材１１が案内部材１２に対して不用意にずれることを抑えることができる。
【００２６】
次に、この芯出し装置の動作について説明する。
【００２７】
この芯出し装置は操作部材１１の左右両端部が一対の第１案内部材１２Ａの切欠き溝部１２Ｄそれぞれに嵌め込まれている。この切欠き溝部１２Ｄは上下方向の寸法が操作部材１１の左右両端部の上下方向の寸法より僅かに大きい。また、この切欠き溝部１２Ｄは前後方向の寸法が操作部材１１の平板状の厚さ方向の寸法より僅かに大きい。これにより、操作部材１１は案内部材１２に左右方向に移動を案内され、案内部材１２対して左右方向に往復移動できる。また、この芯出し装置は一対の第１案内部材１２Ａが支持部材１０の上側の左右両端面を左右方向から挟み、それぞれが支持部材１０の上側の左右両端面との間に僅かに隙間を空けて配置されている。また、第１案内部材１２Ａは前後方向の寸法が、支持部材１０及び操作部材１１の平板状の厚さ寸法の合計より僅かに大きい。これにより、支持部材１０は案内部材１２に上下方向に移動を案内され、案内部材１２対して上下方向に往復移動できる。つまり、案内部材１２は支持部材１０の移動を上下方向に案内する。
【００２８】
先ず、この芯出し装置の案内部材１２を支持部材１０に設けられた切欠き部１０Ａを上方向にして架台等（図示せず。）に固定する。このとき、この芯出し装置は、操作部材１１の左右方向の移動、及び支持部材１０の上下方向の移動が妨げられないように架台に固定される。
【００２９】
図２（Ａ）に示すように、操作部材１１が左側に位置する場合、操作部材１１は左端部が支持部材１０の左端面に配置された第１案内部材１２Ａの左端面から左方に突出している。また、操作部材１１は右端面が支持部材１０の右端面に配置された第１案内部材１２Ａの右端面にほぼ面一である。支持部材１０のカムピン１０Ｂは操作部材１１の被挿入部１１Ａの第２被挿入部１１Ｄの左右中央に位置している。第２案内部材１２Ｂに取り付けられたボールプランジャ１２Ｈは後端から後方向に突出したボール部の後端部が操作部材１１に設けられた受け孔１１Ｆに嵌合している（図示せず。）。こうして、この芯出し装置は外径がＡのワークＷ１を支持部材１０が下方から支持する。
【００３０】
次に、操作部材１１を右方向に移動させる。先ず、操作部材１１の左端部に右方向に所定の力を加える。すると、操作部材１１の受け孔１１Ｆに嵌合したボールプランジャ１２Ｈのボール部が前方向に押され、操作部材１１の受け孔１１Ｆから外れる。そして、操作部材１１に設けられた被挿入部１１Ａは操作部材１１と共に右方向に移動する。このとき、支持部材１０はカムピン１０Ｂが操作部材１１の被挿入部１１Ａの第２被挿入部１１Ｄの左右中央から第１被挿入部１１Ｅを介して被挿入部１１Ａの第２被挿入部１１Ｃに案内される。これにより、支持部材１０は上方向に移動する。
【００３１】
図２（Ｂ）に示すように、操作部材１１の右方向の移動が完了すると、操作部材１１は右端部が支持部材１０の右端面に配置された第１案内部材１２Ａの右端面から右方に突出する。また、操作部材１１は左端面が支持部材１０の左端面に配置された第１案内部材１２Ａの左端面にほぼ面一になる。第２案内部材１２Ｂに取り付けられたボールプランジャ１２Ｈは後端から後方向に突出したボール部の後端部が操作部材１１の受け孔１１Ｂに嵌合する（図示せず。）。支持部材１０はカムピン１０Ｂが操作部材１１の被挿入部１１Ａの第２被挿入部１１Ｃの左右中央に位置する。つまり、受け孔１１Ｂはカムピン１０Ｂが第２被挿入部１１Ｃに挿入された際にボールプランジャ１２Ｈに嵌合する。こうして、この芯出し装置は外径がＢのワークＷ２を支持部材１０が下方から支持する。この際、この芯出し装置は操作部材１１を左右方向に移動させ、支持部材１０を上下方向に移動させることによって、外径がＡのワークＷ１及び外径がＢのワークＷ２それぞれの中心軸の位置を互いに一致させてワークＷ１，Ｗ２を下方から支持することができる。
【００３２】
操作部材１１を左方向へ移動させる場合、操作部材１１の右端部に左方向に所定の力を加える。すると、支持部材１０はカムピン１０Ｂが被挿入部１１Ａの第２被挿入部１１Ｃの左右中央から第１被挿入部１１Ｅを介して第２被挿入部１１Ｄへ案内される。これにより、支持部材１０は下方向に移動する。こうして、この芯出し装置は操作部材１１の左右方向の往復移動に伴って、支持部材１０の位置を２種類の高さに段階的に上下方向に往復移動して変更することができる。このため、この芯出し装置は外径の異なる２種類の円筒状又は円柱状のワークＷ１，Ｗ２それぞれの外径に合わせてワークＷ１，Ｗ２の芯出しをすることができる。
【００３３】
このように、この芯出し装置は操作部材１１を左右方向に移動させることによって支持部材１０の上下方向の位置を変更することができる。このため、この芯出し装置は外径の異なる２種類のワークＷ１，Ｗ２それぞれの外径に合わせて支持部材１０を上下方向に移動させることによって、ワークの芯出しをすることができる。
【００３４】
したがって、実施形態１の芯出し装置はワークＷ１，Ｗ２の芯出しを容易にすることができる。
【００３５】
また、この操作部材１１及び支持部材１０は、操作部材１１に傾斜方向に伸びる第１被挿入部１１Ｅを具備した被挿入部１１Ａが設けられ、支持部材１０にカムピン１０Ｂが設けられている。このため、この芯出し装置は被挿入部１１Ａの外形を変更することによって、芯出しするワークＷ１，Ｗ２の外径が変更されても容易に対応することができる。また、この芯出し装置は操作部材１１を左右方向に移動させることによって支持部材１０の上下方向の位置を変更することができる。つまり、この芯出し装置は外径の異なる２種類のワークＷ１，Ｗ２それぞれの外径に合わせて芯出しを容易にすることができる。
【００３６】
また、この被挿入部１１Ａは、互いに平行で上下方向の位置が異なり水平方向に伸びる２つの第２被挿入部１１Ｃ，１１Ｄを具備し、隣り合う第２被挿入部１１Ｃ，１１Ｄの端部が第１被挿入部１１Ｅを介して連結している。このため、この芯出し装置はカムピン１０Ｂが第２被挿入部１１Ｃ，１１Ｄに位置する場合、支持部材１０がワークＷ１，Ｗ２の重さ等によって不用意に下方向に移動することを抑えることができる。
【００３７】
また、この案内部材１２及び操作部材１１は、案内部材１２にボールプランジャ１２Ｈが設けられ、操作部材１１に受け孔１１Ｂ，１１Ｆが設けられている。受け孔１１Ｂ，１１Ｆはカムピン１０Ｂが第２被挿入部１１Ｃ，１１Ｄに挿入された際にボールプランジャ１２Ｈに嵌合する。このため、この芯出し装置は、ボールプランジャ１２Ｈ及び受け孔１１Ｂ，１１Ｆが互いに嵌合するため、カムピン１０Ｂが第２被挿入部１１Ｃ，１１Ｄから不用意にずれることを抑えることができる。
【００３８】
＜実施形態２＞
実施形態２の芯出し装置は、図３（Ａ）、（Ｂ）、及び図４（Ａ）、（Ｂ）に示すように、支持部材１１０の構造、操作部材１１１の外形形状、及び案内部材１１２の構造が実施形態１と異なる。他の構成は実施形態１と同様であり、実施形態１と同一の構成は同一の符号を付して詳細な説明は省略する。
【００３９】
支持部材１１０は、一対の第１支持部１１０Ｅ、及び第２支持部１１０Ｄを有している。支持部材１１０は、平板状であり上下方向（上下は図３（Ａ）における上側下側である。以下同じ。）に幅を有し左右方向（左右は図３（Ａ）における左側右側である。以下同じ。）に伸びている。支持部材１１０は上端面の左右中間部に上方向に広い台形形状に切り欠かれた切欠き部１１０Ａが設けられている。支持部材１１０は左右両端面の上部それぞれに左右方向の外側に突出した突出部１１０Ｆが形成されている。支持部材１１０は左右中央で切欠き部１１０Ａの直下に平板状の厚さ方向に貫通した取付け孔１１０Ｈが設けられている。この取付け孔１１０Ｈは後述する挿入部である第１カムピン１１０Ｂが挿通される。支持部材１１０は左右両端部の上部それぞれに平板状の厚さ方向に貫通した一対の第１長孔１１０Ｇが設けられている。これら第１長孔１１０Ｇはそれぞれ対向する２辺が平行である。これら第１長孔１１０Ｇはそれぞれ対向する２辺の間の寸法が取付け孔１１０Ｈの内径より僅かに大きい。これら第１長孔１１０Ｇは互いに支持部材１１０の左右中央に対称である。これら第１長孔１１０Ｇは互いの間の寸法が上方向に向かうにつれ大きくなっている。
【００４０】
一対の第１支持部１１０Ｅはそれぞれが厚みを有した円環状をなしている。これら第１支持部１１０Ｅは円環状の孔を支持部材１１０の一対の第１長孔１１０Ｇそれぞれに連通して配置され、前端面を支持部材１１０の後端面（前後は図３（Ａ）における手前側奥側である。以下同じ）に当接している。このとき、一対の第１支持部１１０Ｅは切欠き部１１０Ａの左右両側から左右内側に突出している。これら第１支持部１１０Ｅの円環状の孔の内径は支持部材１１０の第１長孔１１０Ｇの対向する２辺の間の寸法より僅かに小さい。
【００４１】
第２支持部１１０Ｄは外形形状が第１支持部１１０Ｅと同じである。第２支持部１１０Ｄは円環状の孔の内径が支持部材１１０の取付け孔１１０Ｈの内径と同じである。第２支持部１１０Ｄは円環状の孔の中心軸を支持部材１１０の取付け孔１１０Ｈの中心軸上に配置され、前端面を支持部材１１０の後端面に当接している。このとき、第２支持部１１０Ｄは上端部が切欠き部１１０Ａの下端から上方に突出している。
【００４２】
操作部材１１１は平板状であり上下方向に幅を有し左右方向に伸びている。操作部材１１１は上下方向の寸法が左右両端部に比べて左右中間部が大きく、左右中間部が上方向に突出している。操作部材１１１の被挿入部１１Ａの第２被挿入部１１Ｃ，１１Ｄそれぞれの対向する２辺の間の寸法、及び第１被挿入部１１Ｅの対向する２辺の間の寸法は第２支持部１１０Ｄの円環状の孔の内径より僅かに大きい。
【００４３】
案内部材１１２は、一対の第１案内部材１１２Ａ、第２案内部材１１２Ｂ、及び第３案内部材１１２Ｃを有している。第１案内部材１１２Ａは前後方向の寸法が、支持部材１１０の平板状の厚さ寸法と第１支持部１１０Ｅ又は第２支持部１１０Ｄの一端面から他端面の間の寸法との合計より僅かに大きい。一対の第１案内部材１１２Ａは、支持部材１１０の突出部１１０Ｆの下側の左右両端面を左右方向から挟み、それぞれが支持部材１１０の左右両端面との間に僅かに隙間を空けて配置されている。
【００４４】
第２案内部材１１２Ｂは平板状をなして上下方向に幅を有し左右方向に伸びている。第２案内部材１１２Ｂは上端面の左右中間部が上方向に広い台形形状に切り欠かれている。第２案内部材１１２Ｂは上下方向の寸法が第１案内部材１１２Ａの上下方向の寸法より大きい。第２案内部材１１２Ｂは、図３（Ｂ）に示すように、後端面の下端部に後方向に突出した第１凸部１１２Ｌが設けられている。この第１凸部１１２Ｌは第２案内部材１１２Ｂの左端面から右端面にかけて水平方向に伸びている。また、第２案内部材１１２Ｂは後端面の左右両端部それぞれの上側に後方向に突出した一対の第２凸部１１２Ｍが設けられている。これら第２凸部１１２Ｍは左右方向に幅を有し上下方向に伸びている。第２凸部１１２Ｍは下端面が第１凸部１１２Ｌの上端面との間に所定の寸法を設けて切欠き溝部１１２Ｎを形成している。この切欠き溝部１１２Ｎは操作部材１１１の左右両端部の上下方向の寸法より僅かに大きい。第１凸部１１２Ｌ及び第２凸部１１２Ｍは前後方向の寸法が操作部材１１１の平板状の厚さ寸法より僅かに大きい。
【００４５】
第２案内部材１１２Ｂは左右両端部それぞれの上下中央部及び下端部に平板状の厚さ方向に貫通したボルト挿通孔１１２Ｆが設けられている。第２案内部材１１２Ｂは上下中央部及び下端部に設けられたボルト挿通孔１１２Ｆの中心軸間の上下方向の寸法が、第１案内部材１１２Ａの上端部及び下端部に設けられたボルト挿通孔１１２Ｅの中心軸間の上下方向の寸法と同じである。これらボルト挿通孔１１２Ｆは切欠き溝部１１２Ｎを避けて設けられている。
【００４６】
第２案内部材１１２Ｂは左右中央で台形形状に切り欠かれた部分の直下に上下方向に長い第２長孔１１２Ｐが平板状の厚さ方向に貫通して設けられている。この第２長孔１１２Ｐは対向する２辺が平行である。この第２長孔１１２Ｐの対向する２辺の間の寸法は第２支持部１１０Ｄの円環状の孔の内径より僅かに大きい。第２案内部材１１２Ｂは左右両端部の上部それぞれに左右方向に長い一対の第３長孔１１２Ｑが平板状の厚さ方向に貫通して設けられている。これら第３長孔１１２Ｑはそれぞれ対向する２辺が平行である。これら第３長孔１１２Ｑは第２案内部材１１２Ｂの左右中央に対称である。第３長孔１１２Ｑの対向する２辺の間の寸法は第１支持部１１０Ｅの円環状の孔の内径より僅かに大きい。
【００４７】
第２案内部材１１２Ｂは切欠き溝部１１２Ｎに操作部材１１１の左右両端部それぞれを嵌め込み、第１凸部１１２Ｌ及び第２凸部１１２Ｍの後端面を第１案内部材１１２Ａの前端面に当接して配置されている。このとき、切欠き溝部１１２Ｎは操作部材１１１の左右両端部の上下方向の寸法より僅かに大きい。第１凸部１１２Ｌ及び第２凸部１１２Ｍは前後方向の寸法が操作部材１１１の平板状の厚さ寸法より僅かに大きい。これにより、操作部材１１１は案内部材１１２に左右方向に移動を案内され、案内部材１１２対して左右方向に往復移動できる。第２案内部材１１２Ｂは左右両端部それぞれの上下中央部及び下端部に設けられたボルト挿通孔１１２Ｆの中心軸が、支持部材１１０の左右両端面に配置された一対の第１案内部材１１２Ａそれぞれに設けられたボルト挿通孔１１２Ｅの中心軸に一致している。また、操作部材１１１は左右両端部が前後方向から第１案内部材１１２Ａ及び第２案内部材１１２Ｂで挟まれている。また、操作部材１１１は左右中間部の上下方向の寸法が第２案内部材１１２Ｂの切欠き溝部１１２Ｎの上下方向の寸法より大きい。このため、操作部材１１１は案内部材１１２から脱落しない。
【００４８】
第３案内部材１１２Ｃは平板状をなして上下方向に幅を有し左右方向に伸びている。第３案内部材１１２Ｃは左右方向の寸法が上側より下側が小さい。また第３案内部材１１２Ｃは前後方向の厚さ寸法が上側より下側が大きく、下側が前方向に突出している。第３案内部材１１２Ｃは上側の上端面の左右中間部が上方向に広い台形形状に切り欠かれている。第３案内部材１１２Ｃは上側の上下方向の寸法が第１案内部材１１２Ａの上下方向の寸法より大きい。第３案内部材１１２Ｃは上側の左右両端部それぞれの上下中央部及び下端部に内周面に雌ねじが形成され平板状の厚さ方向に貫通したねじ孔１１２Ｊが設けられている。
【００４９】
第３案内部材１１２Ｃは左右中央で台形形状に切り欠かれた部分の直下に上下方向に長い第４長孔１１２Ｒが平板状の厚さ方向に貫通して設けられている。この第４長孔１１２Ｒは形状が第２案内部材１１２Ｂの第２長孔１１２Ｐと同じである。また、第３案内部材１１２Ｃは上側の左右両端部の上部それぞれに左右方向に長い第５長孔１１２Ｓが平板状の厚さ方向に貫通して設けられている。この第５長孔１１２Ｓは形状が第２案内部材１１２Ｂの第３長孔１１２Ｑと同じである。これら第５長孔１１２Ｓは第３案内部材１１２Ｃの左右中央に対称である。
【００５０】
第３案内部材１１２Ｃは上側の前端面を第１案内部材１１２Ａの後端面に当接して配置されている。第３案内部材１１２Ｃは上側の左右両端部それぞれの上下中央部及び下端部に設けられたねじ孔１１２Ｊの中心軸が、第２案内部材１１２Ｂの左右両端部それぞれの上下中央部及び下端部に設けられたボルト挿通孔１１２Ｆの中心軸に一致している。また、第３案内部材１１２Ｃは第４長孔１１２Ｒの位置が第２案内部材１１２Ｂの第２長孔１１２Ｐの位置に一致している。また、第３案内部材１１２Ｃは一対の第５長孔１１２Ｓの位置が第２案内部材１１２Ｂの一対の第３長孔１１２Ｑの位置に一致している。
【００５１】
この芯出し装置は支持部材１１０の取付け孔１１０Ｈ、第２支持部１１０Ｄの円環状の孔、操作部材１１１の被挿入部１１Ａ、第２案内部材１１２Ｂの第２長孔１１２Ｐ、及び第３案内部材１１２Ｃの第４長孔１１２Ｒが重なり連通した空間を形成している。この空間を以下、第１空間２０という。この芯出し装置は第１空間２０に挿入部である第１カムピン１１０Ｂを挿通している。詳しくは、第１カムピン１１０Ｂは円柱状をなして前後方向に伸びている。第１カムピン１１０Ｂは外径が第２支持部の円環状の孔の内径と同じである。第１カムピン１１０Ｂは前端に径方向に広がる鍔部を有しており、後端部の外周に周方向に溝が形成されている。そして、この芯出し装置は第１空間２０に第２案内部材１１２Ｂの前側から後方向に第１カムピン１１０Ｂを挿通し、第１カムピン１１０Ｂの溝を第３案内部材１１２Ｃの後端面の後方に突出させている。そして、この芯出し装置は第１カムピン１１０Ｂの溝にＥ型止め輪１１０Ｊを嵌め込んでいる。これにより、第１カムピン１１０Ｂは第１空間２０から脱落しない。このとき、第２支持部１１０Ｄは第１カムピン１１０Ｂに対して回転自在である。また、第１カムピン１１０Ｂは第２案内部材１１２Ｂの第２長孔１１２Ｐ、及び第３案内部材１１２Ｃの第４長孔１１２Ｒに対して孔の長さ方向に移動自在である。
【００５２】
この芯出し装置は支持部材１１０の一対の第１長孔１１０Ｇ、一対の第１支持部１１０Ｅの円環状の孔、第２案内部材１１２Ｂの一対の第３長孔１１２Ｑ、及び第３案内部材１１２Ｃの一対の第５長孔１１２Ｓそれぞれが重なり連通した一対の空間を形成している。これらの空間を以下、第２空間２１という。この芯出し装置はこれら第２空間２１それぞれに第２カムピン１１０Ｃを挿通している。詳しくは、第２カムピン１１０Ｃは外形形状が第１カムピン１１０Ｂと同じである。第２カムピン１１０Ｃは外径が第１支持部１１０Ｅの円環状の孔の内径と同じである。そして、第２空間２１それぞれに第２案内部材１１２Ｂの前側から後方向に第２カムピン１１０Ｃを挿通し、第２カムピン１１０Ｃの溝を第３案内部材１１２Ｃの後端面の後方に突出させている。そして、この芯出し装置は第２カムピン１１０Ｃの溝にＥ型止め輪１１０Ｊを嵌め込んでいる。これにより、第２カムピン１１０Ｃは第２空間２１から脱落しない。このとき、第１支持部１１０Ｅは第２カムピン１１０Ｃに対して回転自在である。また、第２カムピン１１０Ｃは支持部材１１０の一対の第１長孔１１０Ｇ、第２案内部材１１２Ｂの一対の第３長孔１１２Ｑ、及び第３案内部材１１２Ｃの一対の第５長孔１１２Ｓに対して孔の長さ方向に移動自在である。
【００５３】
この芯出し装置は一対の第１案内部材１１２Ａは、支持部材１１０の突出部１１０Ｆの下側の左右両端面を左右方向から挟み、それぞれが支持部材１１０の左右両端面との間に僅かに隙間を空けて配置されている。また、第１案内部材１１２Ａは前後方向の寸法が、支持部材１１０の平板状の厚さ寸法と第１支持部１１０Ｅ又は第２支持部１１０Ｄの一端面から他端面の間の寸法との合計より僅かに大きい。これにより、支持部材１１０は案内部材１１２に上下方向に移動を案内され、案内部材１１２対して上下方向に往復移動できる。
【００５４】
次に、この芯出し装置の動作について説明する。
【００５５】
図４（Ａ）に示すように、操作部材１１１が左側に位置する場合、操作部材１１１は左端部が支持部材１１０の左端面に配置された第１案内部材１１２Ａの左端面から左方に突出している。また、操作部材１１１は右端面が支持部材１１０の右端面に配置された第１案内部材１１２Ａの右端面にほぼ面一である。第１カムピン１１０Ｂは操作部材１１１の被挿入部１１Ａの第２被挿入部１１Ｄの左右中央に位置している。また、第１カムピン１１０Ｂは前端部が第２案内部材１１２Ｂの第２長孔１１２Ｐの下側に位置している。また、第１カムピン１１０Ｂは後端部が第３案内部材１１２Ｃの第４長孔１１２Ｒの下側に位置している。一対の第２カムピン１１０Ｃはそれぞれ支持部材１１０の第１長孔１１０Ｇの上側に位置している。また、これら第２カムピン１１０Ｃはそれぞれの前端部が第２案内部材１１２Ｂの一対の第３長孔１１２Ｑの左右外側に位置している。また、これら第２カムピン１１０Ｃはそれぞれの後端部が第３案内部材１１２Ｃの一対の第５長孔１１２Ｓの左右外側に位置している。このとき、一対の第１支持部１１０Ｅ、及び第２支持部１１０Ｄの外周面に同時に接する円の直径をＡとする。こうして、この芯出し装置は外径がＡのワークＷ１の下半部の左右両側に一対の第１支持部１１０Ｅが当接し、外径がＡのワークＷ１の下端に第２支持部１１０Ｄが当接して外径がＡのワークＷ１を支持することができる。
【００５６】
次に、操作部材１１１を右方向に移動させる。すると、第１カムピン１１０Ｂは操作部材１１１の被挿入部１１Ａの第２被挿入部１１Ｄの左右中央から第１被挿入部１１Ｅを介して第２被挿入部１１Ｃに案内され上方向に移動する。また、第１カムピン１１０Ｂと共に支持部材１１０及び第２支持部１１０Ｄも上方向に移動する。つまり、第２支持部１１０Ｄは支持部材１１０の上方向の移動と共に上方向に移動する。このとき、第１カムピン１１０Ｂは前端部が第２案内部材１１２Ｂの第２長孔１１２Ｐを上方向に移動する。さらに、第１カムピン１１０Ｂは後端部が第３案内部材１１２Ｃの第４長孔１１２Ｒを上方向に移動する。
【００５７】
一対の第２カムピン１１０Ｃは、図５（Ａ）、（Ｂ）に示すように、前端部及び後端部それぞれが第２案内部材１１２Ｂの第３長孔１１２Ｑ、及び第３案内部材１１２Ｃの第５長孔１１２Ｓに挿通されている。このため、これら第２カムピン１１０Ｃは上下方向に移動することができない。支持部材１１０の一対の第１長孔１１０Ｇが支持部材１１０と共に上方向に移動する場合、一対の第２空間２１は左右内側に移動する。これにより、一対の第２空間２１それぞれに挿通された第２カムピン１１０Ｃは左右内側に移動する。また、第２カムピン１１０Ｃが挿通された第１支持部１１０Ｅも第２カムピン１１０Ｃと共に左右内側に移動する。つまり、第１支持部１１０Ｅは支持部材１１０が上方向に移動すると左右内側に移動する。つまり、支持部材１１０はワークＷ１，Ｗ２の下半部の左右両側に当接し、支持部材１１０の上下方向の往復移動に伴って左右方向に移動する一対の第１支持部１１０Ｅを有している。
【００５８】
図４（Ｂ）に示すように、操作部材１１１の右方向の移動が完了すると、操作部材１１１は右端部が支持部材１１０の右端面に配置された第１案内部材１１２Ａの右端面から右方に突出する。また、操作部材１１１は左端面が支持部材１１０の左端面に配置された第１案内部材１１２Ａの左端面にほぼ面一になる。支持部材１１０は第１カムピン１１０Ｂが操作部材１１１の被挿入部１１Ａの第２被挿入部１１Ｃの左右中央に位置する。また、第１カムピン１１０Ｂは前端部及び後端部それぞれが第２案内部材１１２Ｂの第２長孔１１２Ｐ及び第３案内部材１１２Ｃの第４長孔１１２Ｒの上側に位置する。一対の第２カムピン１１０Ｃはそれぞれの前端部及び後端部が第２案内部材１１２Ｂの一対の第３長孔１１２Ｑ及び第３案内部材１１２Ｃの一対の第５長孔１１２Ｓの左右内側に位置する。このとき、一対の第１支持部１１０Ｅ、及び第２支持部１１０Ｄの外周面に同時に接する円の直径をＢとする。こうして、この芯出し装置は外径がＢのワークＷ２の下半部の左右両側に一対の第１支持部１１０Ｅが当接し、外径がＢのワークＷ２の下端に第２支持部１１０Ｄが当接して外径がＢのワークＷ２を支持することができる。この際、この芯出し装置も操作部材１１１を左右方向に移動させ、支持部材１１０を上下方向に移動させることによって、外径がＡのワークＷ１及び外径がＢのワークＷ２それぞれの中心軸の位置を互いに一致させワークＷ１，Ｗ２を支持することができる。こうして、この芯出し装置も操作部材１１１の左右方向の往復移動に伴って、支持部材１１０の位置を２種類の高さに段階的に上下方向に往復移動して変更することができる。つまり、この芯出し装置も外径の異なる２種類の円筒状又は円柱状の外径がＡのワークＷ１及び直径がＢのワークＷ２それぞれの外径に合わせてワークＷ１，Ｗ２の芯出しをすることができる。
【００５９】
操作部材１１１を左方向へ移動させる場合、操作部材１１１の右端部に左方向に所定の力を加える。すると、支持部材１１０は第１カムピン１１０Ｂが被挿入部１１Ａの第２被挿入部１１Ｃの左右中央から第１被挿入部１１Ｅを介して第２被挿入部１１Ｄへ案内される。これにより、支持部材１１０は下方向に移動する。また、支持部材１１０の下方向の移動と共に、一対の第１支持部１１０Ｅが左右外側に移動し、第２支持部１１０Ｄが下方向に移動する。
【００６０】
このように、この芯出し装置は操作部材１１１の左右方向に移動させることによって支持部材１１０の上下方向の位置を変更することができる。このため、この芯出し装置は外径の異なる２種類のワークＷ１，Ｗ２それぞれの外径に合わせて支持部材１１０を上下方向に移動させることによって、ワークＷ１，Ｗ２の芯出しをすることができる。
【００６１】
したがって、実施形態２の芯出し装置もワークＷ１，Ｗ２の芯出しを容易にすることができる。
【００６２】
また、この操作部材１１１及び支持部材１１０は、操作部材１１１に傾斜方向に伸びる第１被挿入部１１Ｅを具備した被挿入部１１Ａが設けられ、支持部材１１０に第１カムピン１１０Ｂが設けられている。このため、この芯出し装置は被挿入部１１Ａの外形を変更することによって、芯出しするワークＷ１，Ｗ２の外径が変更されても容易に対応することができる。また、この芯出し装置は操作部材１１１を左右方向に移動させることによって支持部材１１０の上下方向の位置を変更することができる。つまり、この芯出し装置は外径の異なる２種類のワークＷ１，Ｗ２それぞれの外径に合わせて芯出しを容易にすることができる。
【００６３】
また、この被挿入部１１Ａは、互いに平行で上下方向の位置が異なり水平方向に伸びる２つの第２被挿入部１１Ｃ，１１Ｄを具備し、隣り合う第２被挿入部１１Ｃ，１１Ｄの端部が第１被挿入部１１Ｅを介して連結している。このため、この芯出し装置は第１カムピン１１０Ｂが第２被挿入部１１Ｃ，１１Ｄに位置する場合、支持部材１１０がワークＷ１，Ｗ２の重さ等によって不用意に下方向に移動することを抑えることができる。
【００６４】
また、この案内部材１１２及び操作部材１１１は、案内部材１１２にボールプランジャ１２Ｈが設けられ、操作部材１１１に受け孔１１Ｂ，１１Ｆが設けられている。受け孔１１Ｂ，１１Ｆは第１カムピン１１０Ｂが第２被挿入部１１Ｃ，１１Ｄに挿入された際にボールプランジャ１２Ｈに嵌合する。このため、この芯出し装置は、ボールプランジャ１２Ｈ及び受け孔１１Ｂ，１１Ｆが互いに嵌合するため、第１カムピン１１０Ｂが第２被挿入部１１Ｃ，１１Ｄから不用意にずれることを抑えることができる。
【００６５】
また、この支持部材１１０は、ワークＷ１，Ｗ２の下半部の左右両側に当接し、支持部材１１０の上下方向の往復移動に伴って左右方向に移動する一対の第１支持部１１０Ｅを有している。このため、この芯出し装置は、ワークＷ１，Ｗ２の外周面を一対の第１支持部１１０Ｅで支持することによって支持部材１１０に掛かるワークＷ１，Ｗ２の重量を分散させることができる。また、この芯出し装置は、支持部材１１０に第１支持部１１０Ｅを設けているため、ワークＷ１，Ｗ２の材質に合わせて第１支持部１１０Ｅの材質を変更することができる。
【００６６】
＜他の実施形態＞
本発明は上記記述及び図面によって説明した実施形態１及び２に限定されるものではなく、例えば次のような実施形態も本発明の技術的範囲に含まれる。
（１）実施形態１及び２では、操作部材の被挿入部の第２被挿入部が２つであるが、これに限らず、操作部材の被挿入部の第２被挿入部を３つ以上設けても良い。この場合、隣り合う第２被挿入部の間をそれぞれ第１被挿入部で連結する。
（２）実施形態１では、操作部材が左側に位置するとき、支持部材が下に位置し、操作部材が右側に位置するとき、支持部材が上に位置するが、これに限らず、操作部材が左側に位置するとき、支持部材が上に位置し、操作部材が右側に位置するとき、支持部材が下に位置しても良い。
（３）実施形態１では、支持部材の上端面の左右中央部に上方向に広いＶ字状に切り欠かれた切欠き部が設けられているが、これに限らず、上端面の左右中央部をＵ字状、半円状、及び矩形状等に切り欠いても良く、切り欠かなくても良い。
（４）実施形態１では、ボールプランジャを設けているが、これに限らず、板バネ等を用いても良い。この場合、板バネの基端部を案内部材に固定し、先端部に受け孔に嵌合する凸部を設けて、この凸部を受け孔に嵌合させる。
（５）実施形態１及び２では、挿入部を支持部材に対して別部材で設けているが、これに限らず、挿入部を支持部材に対して一体的に設けても良い。
（６）実施形態１及び２では、受け孔を操作部材に設けているが、これに限らず、受け孔を支持部材に設けても良い。この場合、受け孔は互いに左右方向の位置が同じで上下方向に隣り合い設ける。
（７）実施形態１及び２では、ボールプランジャを案内部材に設けているが、これに限らず、ボールプランジャを支持部材に設けても良い。この場合、受け孔は互いに左右方向の位置が同じで上下方向に隣り合い設ける。
（８）実施形態１及び２では、ボールプランジャを案内部材に設けて、受け孔を操作部材に設けているが、これに限らず、ボールプランジャを操作部材に設けて、受け孔を案内部材に設けても良い。
（９）実施形態１及び２では、支持部材に挿入部を設けて、操作部材に被挿入部を設けているが、これに限らず、支持部材に被挿入部を設けて、操作部材に挿入部を設けても良い。
（１０）実施形態２では、第２支持部が第１カムピンに対して回転自在で、第１支持部が第２カムピンに対して回転自在であるが、これに限らず、第２支持部が第１カムピンに対して回転自在でなくても良く、第１支持部が第２カムピンに対して回転自在でなくても良い。
【符号の説明】
【００６７】
Ｗ１，Ｗ２…ワーク、１０，１１０…支持部材、１０Ｂ…カムピン（挿入部）、１１０Ｂ…第１カムピン（挿入部）、１１，１１１…操作部材、１１Ａ…被挿入部、１１Ｂ，１１Ｆ…受け孔（凹部）、１１Ｃ，１１Ｄ…第２被挿入部、１１Ｅ…第１被挿入部、１２，１１２…案内部材、１２Ｈ…ボールプランジャ（凸部）、１１０Ｅ…第１支持部
【図１】
0006672028.tif 000002
【図２】
0006672028.tif 000003
【図３】
0006672028.tif 000004
【図４】
0006672028.tif 000005
【図５】
0006672028.tif 000006